(57)【特許請求の範囲】
【請求項１】
油圧回路結合部に位置する入力ポートにストレーナを装着してなる電磁弁において、
前記ストレーナは一枚の平面の板材で構成されるとともに、その平面部分には前記板材を貫通する複数の小孔がメッシュ状に形成されるフィルター部と、該フィルター部の外周部に形成される複数の貫通孔を有する係止部とを有し、前記油圧回路結合部の入力ポート外周壁に前記係止部が固定され、前記ストレーナを保持する保持部を具備することを特徴とする電磁弁。
【請求項２】
請求項１記載の電磁弁において、前記保持部は前記入力ポート最外径より径方向内側に位置し、かつ前記入力ポートの外側に向かって突き出された突起であることを特徴とする電磁弁。
【請求項３】
請求項１記載の電磁弁において、前記油圧回路結合部は樹脂からなることを特徴とする電磁弁。
【発明の詳細な説明】
【０００１】
【発明の属する技術分野】
本発明は、油圧回路結合部に位置する入力ポートにストレーナを装着してなる電磁弁に関するものである。
【０００２】
【従来の技術】
従来、自動変速機の油圧制御装置においては、油圧回路結合部に位置する入力ポートにストレーナを装着してなる電磁弁において、ストレーナを一枚の板材で形成し、このストレーナは、外周部には取付け用爪を有するとともに、外周部以外の平面部分に板材を貫通する複数の孔をメッシュ状に形成したフィルター部を有し、油圧回路結合部の先端に取付け用爪の弾性変形を利用してストレーナを嵌め込んだ電磁弁が提案されている（特開平５−１０６７５６号公報参照）。
【０００３】
図８はかかる従来のストレーナを装着してなる電磁弁の部分断面図である。
【０００４】
この図において、１はアウタベース（油圧回路結合部）であり、このアウタベース１の前端に装着するフィルター４を１枚の板材で構成し、板材の周囲に取付け用爪７を形成するとともに、周囲以外の平面部分に板材を貫通する複数の孔５をメッシュ状に形成する。アウタベース１の前端に形成した溝２にフィルター４の取付け用爪７をその弾性変形を利用して、嵌め込むことで取り付けるようにしていた。なお、３はＯリング、６は折曲部である。
【０００５】
【発明が解決しようとする問題点】
しかしながら、従来の電磁弁におけるストレーナと油圧回路結合部との結合は、上記したように、油圧回路結合部の先端に形成された細い溝２に、フィルター４の周囲に形成された取付け用爪７の弾性変形を利用して嵌め込むことによって行っていたので、生産性が低下し、コスト高となっていた。すなわち、フィルター４の周囲に形成される取付け用爪７は、非常に細かい折り目を形成しなければならないので、工数が増加してしまい、生産性が低下してしまうとともに、コストも高くなってしまう。
【０００６】
また、電磁弁の排油能力は、電磁弁内に設けられるオリフィス径により、予め設定されているが、フィルター４の開口総面積が小さい場合、フィルター４が目づまりを起こすとフィルターの開口総面積がオリフィスの径方向断面積より小さくなる可能性があり、その結果、自動変速機の油圧制御装置内のバルブの切換タイミング等が遅れ、変速ショックの原因となってしまう。従って、フィルターの開口総面積は大きい方が望ましいが、孔５の大きさは、ろ過すべき異物の大きさにより決定されるので、フィルターの開口総面積を大きくする方法として、入力ポートの径Ｄを大きくすることが考えられる。しかし、上記した従来の電磁弁は、フィルター４の外周部に取付け用爪７を設けて油圧回路結合部の先端に取付け用爪７の弾性変形を利用してフィルター４を嵌め込む構成を有するので、フィルター４と油圧回路結合部との間に軸方向へのがたが生じて隙間が発生する。この隙間からソレノイド弁内に異物が浸入してしまうことを防止するために、フィルター４の外周縁には折曲部６が設けられている。従って、この折曲部６の存在により、限られた油路径Ａに対し、フィルター４の折曲部６の肉厚Ｃと折曲部６の形成誤差のための間隔Ｂが必要になってしまい、限られた空間の中で最大限に入力ポートの径Ｄを確保しているとは言い難かった。
【０００７】
本発明は、上記課題を解決し、フィルターの開口総面積が大きく、安価で生産性の良い電磁弁を提供することを目的とする。
【０００８】
【課題を解決するための手段】
本発明は、上記目的を達成するために、
（１）油圧回路結合部に位置する入力ポートにストレーナを装着してなる電磁弁において、前記ストレーナは一枚の平面の板材で構成されるとともに、その平面部分には前記板材を貫通する複数の小孔がメッシュ状に形成されるフィルター部と、このフィルター部の外周部に形成される複数の貫通孔を有する係止部とを有し、前記油圧回路結合部の入力ポート外周壁に前記係止部が固定され、前記ストレーナを保持する保持部を具備するようにしたものである。
【０００９】
（２）上記（１）記載の電磁弁において、前記保持部は前記入力ポート最外径より径方向内側に位置し、かつこの入力ポートの外側に向かって突き出された突起である。
【００１０】
（３）上記（１）記載の電磁弁において、前記油圧回路結合部は樹脂からなる。
【００１１】
【作用及び発明の効果】
（１）請求項１記載の発明によれば、ストレーナが一枚の平面の板材で構成されるとともに、その平面部分には前記板材を貫通する複数の小孔がメッシュ状に形成されるフィルター部と、このフィルター部の外周部に形成される複数の貫通孔を有する係止部とを有し、ストレーナの保持は、油圧回路結合部における入力ポート外周壁に設けられた保持部への係止部の結合により行うので、従来のようにストレーナに取付け用爪を形成する工程を行う必要がなく、工数が減少し、生産性が向上するとともに安価な電磁弁を提供することができる。
【００１２】
また、ストレーナが一枚の平面の板材で構成されるとともに、ストレーナの保持は油圧回路結合部における入力ポート外周壁に設けられた保持部により行うので、従来のように取付け用爪の製造誤差を考慮する必要がなく、油圧回路結合部を油路径に近い大きさとすることができ、その結果、入力ポートの径を大きくすることができる。従って、フィルター部の開口総面積を大面積とすることが可能となり、目づまりに対し、ソレノイド弁の排油能力への影響の割合を小さくすることができる。
【００１３】
また、従来のようにストレーナと油圧回路結合部との間に隙間が生じることがなく、隙間からソレノイド弁内への異物の浸入を防止するための折曲部を設ける必要がない。すなわち、従来のように油路と油圧回路結合部との間に折曲部が存在せず、油圧回路結合部を油路径に近い大きさにすることができ、その結果、入力ポートの径を大きくすることができる。
【００１４】
（２）請求項２記載の発明によれば、上記（１）に加えて、前記保持部として、軸方向に延びる突起を設けるようにしたので、構成が簡単で、フィルター部の開口総面積を大面積とすることが可能となり、目づまりに対し、ソレノイド弁の排油能力への影響の割合を小さくすることができる。
【００１５】
また、保持部の先端部には、入力ポートの中心に向かって傾斜する傾斜部を形成する場合には、ストレーナの外周縁に形成される複数の凹部と油圧回路結合部との固定時において案内部として作用し、ストレーナの取付けが容易に行え、生産性を向上させることができる。
【００１６】
（３）請求項３記載の発明によれば、前記油圧回路結合部は樹脂により成形されるようにしたので、油圧回路結合部のストレーナ保持部が簡単に構成できるので、生産性が向上する。
【００１７】
また、回路結合部のストレーナ保持部が樹脂であるので、ストレーナを固定する場合に、容易に行うことができ、生産性が向上する。
【００１８】
【発明の実施の形態】
以下、本発明における発明の実施の形態について図面を参照しながら説明する。
【００１９】
図１は本発明における発明の実施の形態１を示すストレーナと油圧回路結合部を示す斜視図、図２はそのストレーナが油圧回路結合部に固定された状態を示す斜視図、図３はその油圧回路結合部に位置する入力ポートにストレーナを装着してなる電磁弁の断面図である。
【００２０】
図１において、１１は電磁弁のアウタベース（油圧回路結合部）であり、このアウタベース１１の入力ポート外周壁１２には保持部としての複数の突起１３、ここでは均等間隔で４本の突起１３が形成されている。ここで、アウタベース１１は樹脂で成形するのが望ましいが、金属で成形することもできる。
【００２１】
一方、ストレーナ１４は一枚の平面の板材で構成されるとともに、その平面部分には板材を貫通する複数の小孔１５がメッシュ状に形成されるフィルター部と、このフィルター部の外周部１７に形成される係止部としての貫通孔１８が突起１３と一致するように形成されている。１９はＯリングである。
【００２２】
ここで、ストレーナ１４は、例えば、板厚０．１５ｍｍ、直径９ｍｍφ、複数の小孔１５は直径０．５ｍｍφ、係止部としての貫通孔１８は直径１．５ｍｍφであり、複数の小孔１５は、例えば、エッチングにより形成する。
【００２３】
このようにストレーナは、薄く小さいものであるために、一枚の平面の板材で構成されることが重要であり、３次元的な加工を施すと種々の問題を有することになる。
【００２４】
そこで、ストレーナ１４をアウタベース１１に固定する場合には、まず、アウタベース１１の突起１３にストレーナ１４の貫通孔１８を位置合わせした後に、突起１３の先端部を溶着又はカシメにより、図２に示すように、アウタベース１１にストレーナ１４を一体に固定する。１３Ａは溶着又はカシメられた突起１３の先端部である。
【００２５】
したがって、図３に示すように、電磁弁のアウタベース１１、つまり、電磁弁の油圧回路結合部に位置する入力ポートにストレーナ１４を固定することができる。
【００２６】
なお、図３において、電磁装置部は、インナーベース２０、ボール２１、コイル２２、押し棒２３、コア２４、ケース２５、ソケット２６等から成っている。
【００２７】
次に、本発明における発明の実施の形態２について説明する。
【００２８】
図４は本発明における発明の実施の形態２を示すストレーナと油圧回路結合部を示す斜視図、図５はストレーナが油圧回路結合部に固定された状態を示す斜視図である。
【００２９】
図４において、３１は電磁弁のアウタベース（油圧回路結合部）であり、このアウタベース３１の入力ポート外周壁３２には保持部としての複数の突起３３、ここでは均等間隔で４本の突起３３が形成されている。
【００３０】
ここで、アウタベース３１は金属で成形するのが望ましいが、樹脂で成形することもできる。
【００３１】
一方、ストレーナ３４は一枚の平面の板材で構成されるとともに、その平面部分には前記板材を貫通する複数の小孔３５がメッシュ状に形成されるフィルター部と、このフィルター部の外周部３６に形成される係止部としての凹部３７が前記突起３３と一致するように形成されている。３９はＯリングである。
【００３２】
そこで、ストレーナ３４をアウタベース３１に固定する場合には、まず、アウタベース３１の突起３３にストレーナ３４の凹部３７を位置合わせした後に、突起３３の先端部を内側に折り曲げることにより、図５に示すように、アウタベース３１にストレーナ３４を一体に固定する。３３Ａは折り曲げられた突起３３の先端部である。ここで、図４に示すように、突起３３には内側にテーパ３３−１を形成することにより、ストレーナ３４の組み付け時に、突起３３のテーパ３３−１によって、ストレーナ３４がガイドされ、アウタベース３１へのストレーナ３４のスムーズな取り付けを行うことができる。
【００３３】
次に、本発明における発明の実施の形態３について説明する。
【００３４】
図６は本発明における発明の実施の形態３を示すストレーナと油圧回路結合部を示す斜視図、図７はストレーナが油圧回路結合部に固定された状態を示す斜視図である。
【００３５】
図６において、４１は電磁弁のアウタベース（油圧回路結合部）であり、このアウタベース４１の入力ポート外周壁４２の内周面には溝４３が形成されている。ここで、アウタベース４１は樹脂で成形するのが望ましいが、金属で成形することもできる。
【００３６】
一方、ストレーナ４４は一枚の平面の板材で構成されるとともに、その直径は、略入力ポートの内周径と一致する寸法にする。また、その平面部分には板材を貫通する複数の小孔４５がメッシュ状に形成されるフィルター部と、このフィルター部の外周部４６から水平に突出する係止部（突起）４７を有している。４９はＯリングである。
【００３７】
そこで、ストレーナ４４をアウタベース４１に固定する場合には、まず、アウタベース４１の内周面にストレーナ４４を位置合わせした後に、ストレーナ４４の油圧回路結合部への圧入により、係止部（突起）４７が前記溝４３に嵌着される。
【００３８】
なお、本発明は上記発明の実施の形態に限定されるものではなく、本発明の趣旨に基づき種々の変形が可能であり、それらを本発明の範囲から排除するものではない。
【図面の簡単な説明】
【図１】本発明における発明の実施の形態１を示すストレーナと油圧回路結合部を示す斜視図である。
【図２】本発明における発明の実施の形態１を示すストレーナが油圧回路結合部に固定された状態を示す斜視図である。
【図３】本発明における発明の実施の形態１を示す油圧回路結合部に位置する入力ポートにストレーナを装着してなる電磁弁の断面図である。
【図４】本発明における発明の実施の形態２を示すストレーナと油圧回路結合部を示す斜視図である。
【図５】本発明における発明の実施の形態２を示すストレーナが油圧回路結合部に固定された状態を示す斜視図である。
【図６】本発明における発明の実施の形態３を示すストレーナと油圧回路結合部を示す斜視図である。
【図７】本発明における発明の実施の形態３を示すストレーナが油圧回路結合部に固定された状態を示す斜視図である。
【図８】従来のストレーナを装着してなる電磁弁の部分断面図である。
【符号の説明】
１１，３１，４１    電磁弁のアウタベース（油圧回路結合部）
１２，３２，４２    入力ポート外周壁
１３，３３    突起
１３Ａ    溶着又はカシメられた突起の先端部
１４，３４，４４    ストレーナ
１５，３５，４５    小孔
１７，３６，４６    フィルター部の外周部
１８    貫通孔
１９，３９，４９    Ｏリング
２０ インナーベース
２１ ボール
２２ コイル
２３ 押し棒
２４ コア
２５ ケース
２６ ソケット
３３Ａ    折り曲げられた突起の先端部
３３−１    テーパ
３７    凹部
４３    溝
４７    係止部（突起）
【図１】
0003593754.tif 000002
【図２】
0003593754.tif 000003
【図３】
0003593754.tif 000004
【図４】
0003593754.tif 000005
【図５】
0003593754.tif 000006
【図６】
0003593754.tif 000007
【図７】
0003593754.tif 000008
【図８】
0003593754.tif 000009